(57)【特許請求の範囲】
【請求項１】
ベースタルキは、先端が所定長さで下地の端部より延出して該下地上に所定間隔で固定されており、断熱下地材は、裏面側には、前記ベースタルキにかぶせることができる切り欠き条部が形成されており、上面側には、屋根材を固定するための支持材を載せることができる溝部と、前記切り欠き条部に平行な通気溝とが形成されており、前記断熱下地材の切り欠き条部がベースタルキにかぶせられており、切り欠き条部及びベースタルキの軒側端部はふさがれており、該ベースタルキに軒先下地材が固定されて成る断熱下地構造。
【発明の詳細な説明】
【０００１】
【発明の属する技術分野】
本発明は、屋根用の断熱下地材を用いた断熱下地構造に関するものである。
【０００２】
【従来の技術】
近年、屋根材の室内側に通気層を設けて結露を防いだり、下地上に断熱層を形成して断熱効果を高めたりすることによって、耐久性のある建物にする工法が求められている。
図１４により、その一例を説明する。これは、コンクリートである下地５の上に置屋根を形成して前述の効果をねらう場合を示しているが、まず、下地５の上に、空間形成材Ｄを固定することができる束Ｂを立て、その束Ｂを覆うようにしてグラスウールなどの断熱材Ｆを敷き込む。
次に、断熱材Ｆとの間に空間Ａを形成して束Ｂに空間形成材Ｄを固定し、空間形成材Ｄの上にモヤＥを所定間隔で固定し、さらにその上に野地材Ｃを並べてから屋根材を施工していた。
【０００３】
【発明が解決しようとする課題】
前述の施工例の場合は、さまざまな材料が必要となるし、それらを何工程も経て施工しなければならないため、たいへん手間がかかり高価なものになっていた。
そこで、本発明は、外断熱構造の断熱下地材として用いることができ、また、その上に施工する屋根材を横葺きにすることも縦葺きにすることもできる断熱下地材を用いた断熱下地構造を提供するものである。
【０００４】
【課題を解決するための手段】
本発明の断熱下地構造には、ベースタルキと断熱下地材とを用いる。
ベースタルキは、断熱下地材の裏面側に形成された切り欠き条部をかぶせることができる形状をしている。そして、下地の端部より、ベースタルキの先端を所定長さで延出し、かつ、所定間隔で下地上に固定する。また、ベースタルキは、軒先下地材を固定することができる形状及び材質である。
断熱下地材は、裏面側には、前記ベースタルキにかぶせることができる切り欠き条部が形成されいる。上面側には、屋根材を固定するための支持材を載せることができる溝部が形成されている。該溝部は、縦溝部または横溝部、あるいは縦溝部と横溝部の組み合わせである。さらに、上面側には、切り欠き条部に平行な通気溝も形成されている。
そして、前記断熱下地材の切り欠き条部がベースタルキにかぶせられており、切り欠き条部及びベースタルキの軒側端部はふさがれており、該ベースタルキに軒先下地材が固定されて成る断熱下地構造であることを手段としている。
【０００５】
また、前記断熱下地材の切り欠き条部は、既存の瓦棒をまたぐことができる形状をしているという実施の形態もあり、縦溝部が切り欠き条部の上に形成されているという実施の形態もある。
【０００６】
さらに、縦溝部が通気溝を兼ねるという実施の形態もある。
【０００７】
【実施例】
本発明の断熱下地構造について、図面をもとに説明する。図１はそれに用いられる断熱下地材１の実施例の斜視図であり、図２は平面図である。図３は右側面図であり、断熱下地材１の上に載せられる横支持材４ｂの実施例の説明図でもある。図４は正面図であり、断熱下地材１の上に載せられる縦支持材４ａの実施例及び、ベースタルキ２の実施例の説明図でもある。
図５は断熱下地材１の他の実施例の説明図であり、図６は本発明の断熱下地構造の施工に用いられる支持材４の実施例の説明図であり、図７（ア）（イ）は本発明に用いられるベースタルキ２の実施例の説明図である。
図８から図１２は施工状態を示す実施例の説明図であり、図１３（ア）から（オ）は本発明に用いられる断熱下地材１の別の実施例とベースタルキ２との組み合わせを示した説明図である。
【０００８】
まず、図１から図４により説明する。この断熱下地材１の上面には、縦溝部１７と横溝部１８とが形成されている。
これらの溝部について説明すると、断熱下地材１を施工状態に置いたとき、縦溝部１７は、上下方向に形成されており、横溝部１８は、左右方向に形成されている。
各溝部の幅は、縦溝部１７は縦支持材４ａを挿入できる幅であり、横溝部１８は横支持材４ｂを挿入できる幅である。
支持材４にフランジ４３があるものを用いる場合、フランジ４３が納まるように、各溝部の左右にフランジ４３の形状に合わせたくぼみ部分も形成されている。本実施例では、フランジ４３を有する支持材４を一貫して用いているので、縦溝部１７や横溝部１８の左右にフランジ４３の形状に合わせたくぼみ部分を形成し、該溝部に支持材４を入れたとき、フランジ面と断熱下地材１の上面が面一になるように形成している。しかし、他の実施の形態として、フランジ４３のない支持材４を用いるときなどは、各溝部の左右にフランジ４３の形状に合わせたくぼみ部分を形成する必要はない。これら細部は、支持材４の形状によって異なり、本発明はこれらを限定するものではない。
【０００９】
また、断熱下地材１の上面には、縦溝部１７と平行に通気溝１ａが設けられている。
この通気溝１ａは、断熱下地材１を外断熱工法に用いる場合、欠かせない作用を果たす。通気溝１ａを通過する空気が、水蒸気を外部へと運び出すのである。この作用を果たすために、断熱下地材１を敷き並べるとき、各断熱下地材１の通気溝１ａが上下（軒棟）方向に連通して、通気がなされるように設置しなくてはならない。
通気溝１ａを空気が通過することによって、輻射熱が下げられるという効果もある。
尚、本実施例の縦溝部１７に、図４に示したような縦支持材４ａを組み合わせたならば、その縦支持材４ａと屋根材との間に、軒棟方向に連通する通気溝が形成されるので、別の箇所に通気溝１ａを形成しなくてもよい。つまり、縦溝部１７は支持材４との組み合わせによっては通気溝１ａにもなり、通気溝１ａを他の箇所に形成しなくともよい。
【００１０】
断熱下地材１の裏面には、切り欠き条部１２が設けられている。
この切り欠き条部１２は、その上面に形成されている縦溝部１７と平行に形成されており、ベースタルキ２にかぶせることができる形状である。
【００１１】
また、本実施例の断熱下地材１の四方の縁部分には、隣り合う断熱下地材１同士が隙間なく安定して敷設されるように、接続手段が設けられている。
その一実施例として、断熱下地材１を施工状態に敷き並べたとき、左右となる縁部分の一側端には横重なり部１６が、反対側の一側端には被横重なり部１５が形成されている。
棟側端には棟側被重なり部１３が、軒側端には軒側重なり部１４が、それぞれ形成されて、上下方向の接続手段となっている。断熱下地材１の棟側端の厚さの下半分くらいが突出して棟側被重なり部１３となっており、軒側端の厚さの上半分くらいが突出して軒側重なり部１４となっている。
隣接する断熱下地材１同士を敷き並べていくときに、下側に位置する断熱下地材の棟側被重なり部１３に、上側に位置する断熱下地材１の軒側重なり部１４を重ねながら敷き並べていく。そして、被横重なり部１５に横重なり部１６を重ねながら敷き並べていく。
このような接続手段が設けられていることで、断熱下地材１を隙間なく敷き並べ、断熱効果を保つことができる。
【００１２】
本実施例の断熱下地材１の縦溝部１７は、左右に隣り合う断熱下地材１・１の縦溝部１７・１７同士の間隔が、断熱下地材１の上に施工される横葺き屋根材を固定する場合に多く用いられる間隔に合わせて形成されている。
また、横溝部１８の間隔は、断熱下地材１の上に施工される縦葺き屋根材を固定する場合に多く用いられる間隔に合わせて形成されている。
【００１３】
次に、本発明の断熱下地構造について説明するが、先に、図６に基づいて、施工に用いる支持材４の一例について説明する。この支持材４は、止着部４１と左右の脚部４２とを有する、上方が開口する略コの字形である。そして、左右の縁にはフランジ４３が形成されている。
断熱下地材１には、このフランジ４３の形状に合わせたくぼみ部分を形成してあるので、支持材４のフランジ４３面が断熱下地材１の上面と面一になるよう取り付けることができる。止着具３の頭は支持材４の脚部４２間に納まっているので、断熱下地材１の上面から止着具３の頭が突出することはない。
この支持材４を縦溝部１７に挿入した場合、縦支持材４ａと称し、横溝部１８に挿入した場合、横支持材４ｂと称する。
続いて、図７（ア）により、ベースタルキ２の実施例について説明する。（ア）は、図１に示した断熱下地材１の切り欠き条部１２に合わせた形状をしており、本実施例の場合には、断熱性能が高くて腐食しにくい合成樹脂や人工木材などでできている。また、本実施例の場合には、前述の切り欠き条部１２に密接するような大きさである。
【００１４】
以下は、これまで述べた断熱下地材１とベースタルキ２と支持材４を用いた施工の状態を説明する。図８は、下地５がコンクリートである新築現場の場合を示しており、図９の場合は、既存の下地５がコンクリートである現場を改修する場合を示している。
最初に、図８に基づいて説明する。まず、下地５の上に、図７（ア）に示したベースタルキ２を所定間隔で固定していくが、その左右の間隔は、断熱下地材１の切り欠き条部１２をかぶせることができるようにして固定する。このとき、ベースタルキ２の先端は、軒先下地材６１を固定することができるように、下地５の端部から延出して、上面部２１に止着具３を打ち込んで下地５に固定する。
【００１５】
次に、下地５に固定されたベースタルキ２に断熱下地材１をかぶせるが、その切り欠き条部１２がベースタルキ２をまたぐようにする。左右方向は、被横重なり部１５に横重なり部１６を重ね、軒棟方向は、下側に敷いてある断熱下地材１の棟側被重なり部１３に、上側に敷く断熱下地材１の軒側重なり部１４を重ねていく。こうして、下地５の上全体に敷き並べていく。このとき、軒棟方向に隣り合う断熱下地材１の切り欠き条部１２同士・縦溝部１７同士・通気溝１ａ同士が連通するようにする。また、左右に隣り合う横溝部１８同士も連通するように敷き並べる。
さらに、屋根材を固定するための支持材４を断熱下地材１の溝部に載せて、ベースタルキ２に固定する。このとき、横葺き屋根材を葺く場合には、図８のように断熱下地材１の縦溝部１７に縦支持材４ａを載せて止着具３で固定し、縦葺き屋根材を葺く場合には、横溝部１８に横支持材４ｂを載せて止着具３で固定する。続いて、それらの支持材４に屋根材を固定して屋根を完成させるのである。
尚、ベースタルキ２は、本実施例のように支持材４をコンクリートの下地５に直接固定できるのであれば、軒先下地材６１を固定することができる箇所だけに入れてもよい。
【００１６】
軒側は、軒先下地材６１をベースタルキ２に固定する。本実施例の場合には、軒先下地材６１の上面が軒先の横支持材４ｂに固定され、下面がベースタルキ２に固定されている。そして、その軒先下地材６１を軒先化粧材６２で覆って、軒先を納める。
本実施例の軒先下地材６１と軒先化粧材６２とには、穴があけられている。このため、図中矢印で示したように、軒先からはいった外気が断熱下地材１の通気溝１ａを通って棟側に抜けたならば、空気が流通して水蒸気を運び出し、外断熱構造に求められる通気機能を果たすことができる。
また、本実施例の断熱下地材１とベースタルキ２とは、密接するような大きさに形成されているため、コンクリートの下地５を覆って、断熱効果を高めることができる。下地５の上は断熱下地材１で覆い、空気の流通を防ぐためにふさぎ、断熱下地材１の上面側の通気溝１ａで通気させるのである。
【００１７】
図９は、既存の下地５がコンクリートである現場を改修する場合を示している。コンクリートの陸屋根などで、ひび割れや雨漏りが生じた場合にも、本発明は有効である。
この場合にも、図８同様に、下地５の上にベースタルキ２を所定間隔で固定していくが、その左右の間隔は、断熱下地材１の切り欠き条部１２をかぶせることができるようにして固定する。このとき、ベースタルキ２の先端は、軒先下地材６１を固定することができるように、下地５の端部から延出して、上面部２１に止着具３を打ち込んで下地５に固定する。
【００１８】
次に、下地５に固定されたベースタルキ２に断熱下地材１をかぶせるが、その切り欠き条部１２がベースタルキ２をまたぐようにする。左右方向は、被横重なり部１５に横重なり部１６を重ね、軒棟方向は、下側に敷いてある断熱下地材１の棟側被重なり部１３に、上側に敷く断熱下地材１の軒側重なり部１４を重ねていく。こうして、下地５の上全体に敷き並べていく。
さらに、屋根材を固定するための支持材４を断熱下地材１の溝部に載せて、ベースタルキ２に固定する。このとき、横葺き屋根材を葺く場合には、断熱下地材１の縦溝部１７に縦支持材４ａを載せて止着具３で固定し、縦葺き屋根材を葺く場合には、横溝部１８に横支持材４ｂを載せて止着具３で固定する。続いて、それらの支持材４に屋根材を固定して屋根を完成させるのである。
尚、ベースタルキ２は、支持材４をコンクリートなどの下地５に直接固定できるのであれば、本実施例のように、軒先下地材６１を固定することができる箇所だけに入れてもよい。
【００１９】
軒側は、軒先下地材６１をベースタルキ２に固定する。本実施例の場合には、軒先下地材６１の上面が軒先の横支持材４ｂに固定され、下面がベースタルキ２に固定されている。そして、その軒先下地材６１を軒先化粧材６２で覆って、軒先を納める。
本実施例の軒先下地材６１と軒先化粧材６２とには、穴があけられている。このため、図中矢印で示したように、軒先からはいった外気が断熱下地材１の通気溝１ａを通って棟側に抜けたならば、空気が流通して水蒸気を運び出し、外断熱構造に求められる通気機能を果たすことができる。陸屋根の場合には、空気が通気溝１ａを流通することができるように、勾配を付けるとよい。
また、本実施例の断熱下地材１とベースタルキ２とは、密接するような大きさに形成されているため、コンクリートの下地５を覆って、断熱効果を高めることができる。このように、手間がかからないように、あらかじめ断熱下地材１の切り欠き条部１２の大きさに合わせて、隙間のないように、軒側端部がふさがれているベースタルキ２が組み合わせるとよい。つまり、本実施例は、軒側端部がふさがれているベースタルキ２によって、断熱下地材１の切り欠き条部１２がふさがれているのである。
【００２０】
これまで述べた通り、本発明に係る断熱下地材１とベースタルキ２を用いたならば、断熱機能と下地機能を有する断熱下地材１と、軒先下地材６１を止めることができるベースタルキ２との組み合わせにより、コンクリートの下地５に特に有効な断熱下地構造を提供することができる。
しかし、図１０や図１１に示した通り、本発明の断熱下地構造は、瓦棒葺き屋根やスレート瓦の改修の場合にも用いてもよい。図８や図９との相違点のみ説明する。
図１０は、既存の下地５がモヤである瓦棒葺き屋根９を横葺き屋根材で改修する場合を示しているが、この場合には、瓦棒９１の軒側を撤去し、そこにベースタルキ２を入れて下地５に固定する。次に、切り欠き条部１２が瓦棒９１及びベースタルキ２をまたぐようにして、断熱下地材１をかぶせる。図１に示した断熱下地材１の切り欠き条部１２を、瓦棒にかぶせることができるように形成しておくことで、このような場合にも対応できる。
【００２１】
図１１は、既存のスレート瓦８を改修する場合を示している。ここに示した断熱下地材１は図５に示したものであり、ベースタルキ２は図７（イ）に示したものであるので、図５と図７（イ）によりそれらを説明しておく。また、それぞれ図１及び図７（ア）との相違点のみ説明する。
図５の断熱下地材１は、図１の断熱下地材１との相違点は、横長状である。そして、横溝部１８が１つで、切り欠き条部１２と、その上に位置する縦溝部１７とが複数形成されている点である。図５の断熱下地材５は、１つの断熱下地材１の縦溝部１７同士の間隔が、既存のタルキ下地の間隔や横葺き屋根材を施工する際の間隔に合わせて形成されている。また、軒棟方向に隣り合う断熱下地材１・１の横溝部１８・１８の間隔は、縦葺き屋根材を施工する際の間隔に合わせて形成されている。
図７（イ）に示したベースタルキ２は、図５に示した断熱下地材１の切り欠き条部１２の形状に合わせた、断面四角形をしている。
【００２２】
図１１は、これらを用いた施工状態の説明図であるが、既存のスレート瓦８の上に、軒先下地材６１を固定することができるベースタルキ２を所定間隔で下地５に固定する。このとき、軒先下地材６１を固定することができるように、下地５の先端からベースタルキ２を延出させておく。また、軒先下地材６１を固定することができればよいので、全体にベースタルキ２を入れなくても、図１０同様に軒先部分だけあればよい。
【００２３】
図１２は、断熱下地材１とベースタルキ２の組み合わせにおいて、他の実施例を示している。たとえば、図１の断熱下地材１の切り欠き条部１２に合うベースタルキ２がない場合には、切り欠き条部１２とベースタルキ２との隙間がなくなるように隙間閉塞材７でふさぐ。グラスウールや発泡充填材などの断熱性能を有する材料でふさぐとよい。
切り欠き条部１２とベースタルキ２との隙間にフタをするように、面戸のようなものでふさいでもよい。ベースタルキ２が断面略口形の場合も同様である。
【００２４】
図１３（ア）から（オ）により、本発明に用いられる断熱下地材１の別の実施例とベースタルキ２との組み合わせについて説明図する。（ア）から（オ）は、四方に接続の手段を設けておらず、突きつけて用いる。
（ア）は、横溝部１８だけを形成した例であり、横溝部１８に横支持材４ｂを載せたときに、空気の流通を妨げないように、横溝部１８よりも深い通気溝１ａが形成されている。（イ）は、通気溝１ａが縦溝部１７を兼ねる例である。
（ウ）は、（イ）とは異なり、切り欠き条部１２の位置を縦溝部１７の下からずらした例である。（エ）は、通気溝１ａが縦溝部１７を兼ね、さらに、縦溝部１７に直交する横溝部１８が形成されている例である。（オ）は、（エ）と異なり、切り欠き条部１２の位置を縦溝部１７の下からずらした例である。
このように、断熱下地材１とベースタルキ２との組み合わせは、いくつか考えられる。切り欠き条部２も、軒先でベースタルキ２にかぶせる部分だけに形成されていればよく、連通していなくてもよい。また、２枚目以降は切り欠き条部１２のないものを用いてもよい。
【００２５】
これまで述べた通り、本発明の断熱下地構造に用いられるベースタルキ２は、少なくとも軒先下地材６１を固定することができる材質で、かつ、下地５にも固定できる長さを有していればよい。そして、それぞれのベースタルキ２の先端を、軒先下地材６１を固定するために、下地５の端部より所定の長さ延出させてから下地５に固定する。
また、ベースタルキ２は、断熱性能が高い材質のものの方がよく、切り欠き条部１２とは隙間のないようにして空気が流通しないようにする。
【００２６】
断熱下地材１は、裏面側には、ベースタルキ２にかぶせることができる切り欠き条部１２が形成されており、ベースタルキ２との間に隙間がないような形状にするとよい。あるいは、前述の通り、隙間閉塞材７を施せばよい。
上面側には、軒先から取り入れた空気を流通させることができる通気溝１ａを切り欠き条部１２と平行に設ければよい。通気溝１ａを縦溝部１７と兼用させてもよい。
さらに、屋根材を固定する支持材４を載せることができる溝部が形成されていればよく、溝部の間隔や数及び断熱下地材１の長さや幅は限定されない。縦溝部１７と横溝部１８とが形成されていたならば、縦溝部１７に縦支持材４ａを載せて固定し、横葺き屋根材を葺くこともできるし、横溝部１８に横支持材４ｂを載せて固定し、縦葺き屋根材を葺くこともできる。
このようなベースタルキ２と断熱下地材１との組み合わせによって断熱下地構造にすることができればよく、下地５がコンクリートであっても、タルキやモヤであってもよい。また、コンクリート造りの新築物件だけでなく、既存のコンクリート下地５の改修や、瓦棒葺き屋根及びスレート瓦の改修にも用いることができる。
【００２７】
【発明の効果】
本発明にかかる断熱下地材は、上記の通りの構成であり、次に示す効果がある。
すでに断熱下地材に溝部が形成されているので、屋根材を固定するための支持材を必要に応じてそれらの溝部に載せて固定すればよく、施工の際、支持材の位置決定が容易にできるものである。
【００２８】
また、コンクリート下地の新築及び改修にも対応することができる。さらに、既存の瓦棒葺き屋根の改修工事にも既存のスレート瓦葺き屋根の改修工事であっても、本発明にかかる断熱下地材とベースタルキの組み合わせにより、断熱効果の高い下地構造にすることができる。
加えて、通気溝は軒棟方向に連通しているので、施工時に軒と棟に通気口を設けるならば、そこを空気が流通して水蒸気を運び出し、外断熱構造の機能に求められる通気機能も果たすことができるものである。
【図面の簡単な説明】
【図１】  本発明にかかる断熱下地材の一実施例の斜視図である。
【図２】図１に示した断熱下地材の平面図である。
【図３】図１に示した断熱下地材の右側面図であり、断熱下地材の上に載せられる横支持材の実施例の説明図でもある。
【図４】図１に示した断熱下地材の正面図であり、断熱下地材の上に載せられる縦支持材及び、ベースタルキの実施例の説明図である。
【図５】断熱下地材の他の実施例の説明図である。
【図６】支持材の実施例の説明図である。
【図７】（ア）（イ）は本発明にかかるベースタルキの実施例の説明図である。
【図８】コンクリート下地の上に、本発明を実施した場合の説明図である。
【図９】コンクリート下地の上に、本発明を実施した場合の説明図である。
【図１０】モヤ下地の上に瓦棒葺き屋根が葺かれている既存の屋根を改修して新設の横葺き屋根材を施工する場合の説明図である。
【図１１】スレート瓦屋根が葺かれている既存の屋根を改修する場合の説明図である。
【図１２】本発明にかかるベースタルキと断熱下地材の切り欠き条部との間に隙間がある場合の説明図である。
【図１３】（ア）から（オ）は、本発明に用いられる断熱下地材の別の実施例とベースタルキとの組み合わせを示した説明図である。
【図１４】従来技術を示す説明図である。
【符号の説明】
１      断熱下地材
１ａ    通気溝
１２    切り欠き条部
１３    棟側被重なり部
１４    軒側重なり部
１５    被横重なり部
１６    横重なり部
１７    縦溝部
１８    横溝部
２      ベースタルキ
２１    上面部
３      止着具
４      支持材
４１    止着部
４２    脚部
４３    フランジ
４ａ    縦支持材
４ｂ    横支持材
５      下地
６１    軒先下地材
６２    軒先化粧材
７      隙間閉塞材
８      スレート瓦
９      瓦棒葺き屋根
９１    瓦棒
Ａ      空間
Ｂ      束
Ｃ      野地材
Ｄ      空間形成材
Ｅ      モヤ
Ｆ      断熱材
【図１】
0003748523.tif 000002
【図２】
0003748523.tif 000003
【図３】
0003748523.tif 000004
【図４】
0003748523.tif 000005
【図５】
0003748523.tif 000006
【図６】
0003748523.tif 000007
【図７】
0003748523.tif 000008
【図８】
0003748523.tif 000009
【図９】
0003748523.tif 000010
【図１０】
0003748523.tif 000011
【図１１】
0003748523.tif 000012
【図１２】
0003748523.tif 000013
【図１３】
0003748523.tif 000014
【図１４】
0003748523.tif 000015